(57)【要約】      （修正有）【課題】液体の滲み出しを許さないようにカップを封止することができると共に、積み重ねられても容易に取り外せる蓋を提供する。【解決手段】蓋本体１０であって、延伸部１１と、該延伸部に連結される連結部１２と、該延伸部における該連結部の反対側に形成される開口１１１とを含み、該連結部は、前記蓋本体における径方向の外側へ延出し、該連結部における該連結部の反対側の端は、該蓋本体における径方向の内側へ凹入し、リング状を呈する収容空間を形成する蓋本体と、前記蓋本体の延伸部における連結部に隣接する箇所に突設される複数のリブ２０とを含むことを特徴とする。【選択図】図１
0003209513.tif 000002
【実用新案登録請求の範囲】
【請求項１】
蓋本体であって、延伸部と、該延伸部に連結される連結部と、該延伸部における該連結部の反対側に形成される開口とを含み、該連結部は、前記蓋本体における径方向の外側へ延出し、該連結部における該連結部の反対側の端は、該蓋本体における径方向の内側へ凹入し、リング状を呈する収容空間を形成する蓋本体と、
前記蓋本体の延伸部における連結部に隣接する箇所に突設される複数のリブとを含むことを特徴とする蓋。
【請求項２】
該延伸部における径方向の断面の周縁は前記開口へ行くほど小径になる請求項１に記載の蓋。
【請求項３】
該蓋本体の径方向断面は円形を呈する請求項１に記載の蓋。
【請求項４】
該連結部における該連結部の反対側の端連結されると共に、環形プレート状を呈する案内部を有する請求項１に記載の蓋。
【請求項５】
８つのリブが設けられると共に、該８つのリブ同士は、等間隔に配置されている請求項１ないし請求項４のいずれか一項に記載の蓋。
【請求項６】
請求項１ないし請求項５のいずれか一項に記載の蓋と、
取り外し可能に前記蓋の蓋本体の連結部に係合されると共に、該リング状を呈する収容空間に収容される縁部を有するカップ本体とを含むことを特徴とする容器部材。
【考案の詳細な説明】
【技術分野】
【０００１】
本考案は、特に連結部と複数のリブとを具備する蓋、及び前記蓋とカップ本体とを有する容器部材に関するものである。
【背景技術】
【０００２】
コーヒー、紅茶、スムージーなど多様なドリンクが販売されているので、利便性の高い使い捨てドリンク用容器は、広く利用される。
【０００３】
図７及び図８に示すように、従来のスムージー用容器は、カップ８０と、蓋９０とを具備する。該蓋９０は、円弧形を呈する蓋面９１と、封止部９２と、延長部９３とが順次に連結してなるものである。前記封止部９２は、前記蓋９０の径方向における外側へ延出してなるものである。該蓋９０が容易に前記カップ８０の縁部に係合できるように、該延長部９３における該封止部９２に隣接する一端は、該蓋９０の径方向へ間隔をおいて複数の凹入部が形成される。
【考案の概要】
【考案が解決しようとする課題】
【０００４】
しかしながら、カップ８０に収容されるスムージーがその縁部を超え、該蓋９０に入るまで充填されるのが普通である。該スムージーが溶化する時、または該カップ８０の傾斜により液体が該カップ８０の縁部から溢れ出す時、その液体は前記延長部９３における凹入部出ない箇所から滲み出てしまう。また、該従来のスムージー用容器を使用する時、使用者は普通片手でカップ８０を持ち、もう片手で、該カップ８０を封止するために、重ねられた複数の蓋９０の最上部に位置する１つの蓋９０を取らなくてはならなかった。円弧形の蓋面９１を有することにより、積み重ねられる複数の蓋９０は倒れやすく、その最上部に位置する１つの蓋９０を取ることは、容易に行うものではなかった。
【０００５】
そこで、案出されたのが本考案であって、液体の滲み出しを許さないようにカップを封止することができると共に、積み重ねられても容易に取り外せる蓋を提供することを目的としている。
【課題を解決するための手段】
【０００６】
本願の請求項１の考案は、蓋本体であって、延伸部と、該延伸部に連結される連結部と、該延伸部における該連結部の反対側に形成される開口とを含み、該連結部は、前記蓋本体における径方向の外側へ延出し、該連結部における該連結部の反対側の端は、該蓋本体における径方向の内側へ凹入し、リング状を呈する収容空間を形成する蓋本体と、
前記蓋本体の延伸部における連結部に隣接する箇所に突設される複数のリブとを含むことを特徴とする蓋、を提供する。
【０００７】
本願の請求項２の考案は、該延伸部における径方向の断面の周縁は前記開口へ行くほど小径になる請求項１に記載の蓋、を提供する。
【０００８】
本願の請求項３の考案は、該蓋本体の径方向断面は円形を呈する請求項１に記載の蓋、を提供する。
【０００９】
本願の請求項４の考案は、該連結部における該連結部の反対側の端連結されると共に、環形プレート状を呈する案内部を有する請求項１に記載の蓋、を提供する。
【００１０】
本願の請求項５の考案は、８つのリブが設けられると共に、該８つのリブ同士は、等間隔に配置されている請求項１ないし請求項４のいずれか一項に記載の蓋、を提供する。
【００１１】
本願の請求項６の考案は、請求項１ないし請求項５のいずれか一項に記載の蓋と、
取り外し可能に前記蓋の蓋本体の連結部に係合されると共に、該リング状を呈する収容空間に収容される縁部を有するカップ本体と
を含むことを特徴とする容器部材、を提供する。
【考案の効果】
【００１２】
本考案は上記の課題を解決するものであり、蓋のリブで上下の蓋の間に隙間が形成されるので、容易に取り外すことを可能にすると共に、高く積み重ねても簡単に倒れないようにすることができる。また、前記延伸部における該連結部の反対側に蓋の内側へ連続的凹入する構成が形成されるので、該カップ本体の縁部と該連結部とが緊密に結合させ、カップ本体が傾斜しても、その内部の液体が漏らさないようにすることができる。
【図面の簡単な説明】
【００１３】
【図１】本考案に係る蓋の分解斜視図である。
【図２】本考案に係る蓋の正面図である。
【図３】本考案に係る蓋の一部拡大正面断面図である。
【図４】本考案に係る蓋の使用状態を示す正面図である。
【図５】本考案に係る蓋を有する容器部材の分解斜視図である。
【図６】本考案に係る蓋を有する容器部材の一部拡大正面断面図である。
【図７】従来のドリンク用容器の斜視図である。
【図８】従来のドリンク用容器の一部拡大正面断面図である。
【考案を実施するための形態】
【００１４】
以下、添付図面を参照して本考案の好適な実施の形態を詳細に説明する。
【００１５】
図１に示すように、本考案に係る蓋は、蓋本体１０と、複数のリブ２０とを含む。本考案に係る好ましい実施例において、該蓋本体１０の径方向断面は円形を呈する。
【００１６】
図１ないし図３に示すように、該蓋本体１０は、延伸部１１と、連結部１２と、案内部１３とを含む。該延伸部１１における該連結部１２の反対側に開口１１１が形成される。本考案に係る好ましい実施例において、該延伸部１１における径方向の断面の周縁が前記開口１１１へ行くほど小径になる。該連結部１２は、前記蓋本体１０における径方向の外側へ延出する。該連結部１２の一端は、該延伸部１１に連結されると共に、該連結部１２のもう一端は、該蓋本体１０における径方向の内側へ凹入するので、リング状を呈する収容空間１２１が形成される。
【００１７】
前記複数のリブ２０は、前記蓋本体１０の延伸部１１における連結部１２に隣接する箇所に突設される。本考案に係る好ましい実施例において、８つのリブ２０が設けられると共に、該８つのリブ２０同士は、等間隔に配置されている。
【００１８】
図４に示すように、本考案における蓋同士が互いに重ねても、下方に位置する蓋の各リブ２０は、すぐ上方に位置する蓋の各リブ２０の内側に当接するので、収納所要空間を節約できるのみならず、該蓋を高く積み重ねても傾斜しないようにすることができる。蓋を取ろうとする時、それらのリブ２０により上下の蓋の間に隙間が形成されるので、容易に１つの蓋を取り外すことができ、上下の蓋が密接して、負圧で上方に位置する蓋を容易に取ることができない状況が避けられる。
【００１９】
図５および図６に示すように、本考案に係る蓋を有する容器部材は、上述した蓋と、カップ本体３０とを含む。その内、該カップ本体３０は、取り外し可能に前記蓋の蓋本体１０の連結部１２に係合されると共に、該リング状を呈する収容空間１２１に収容される縁部３１を有する。
【産業上の利用可能性】
【００２０】
本考案は上記の構成を有するので、本考案に係る蓋を有する容器部材を使用する時、該蓋は該カップ本体３０の縁部３１に係合される。該連結部１２における該延伸部１１の反対側が該蓋本体１０における径方向の内側へ凹入する構成により、該縁部３１が該連結部１２とが緊密に結合されると共に、該リング状の収容空間１２１に安定に納めるられる。よって、カップ体３０の内部の液体が該縁部３１を越えても、該縁部３１と該連結部１２との結合箇所から流出することを防ぐことができる。
【符号の説明】
【００２１】
１０    蓋本体
１１    延伸部
１１１  開口
１２    連結部
１２１  収容空間
１３    案内部
２０    リブ
３０    カップ本体
３１    縁部
【図１】
0003209513.tif 000003
【図２】
0003209513.tif 000004
【図３】
0003209513.tif 000005
【図４】
0003209513.tif 000006
【図５】
0003209513.tif 000007
【図６】
0003209513.tif 000008
【図７】
0003209513.tif 000009
【図８】
0003209513.tif 000010